(57)【要約】【課題】汎用性が高い空調システムおよび空調方法、ならびに、そのような空調システムを利用した食物保管システム、そのような空調方法を利用した食物保管方法を提供すること、また、より汎用性が高くなるよう空調システムを制御する空調制御装置および空調制御方法を提供する。【解決手段】地上に設けられる吸気口および吹出口と、地中に埋められる気体流路本体と、を有する気体流路であって、前記吸気口から吸い込んだ空気を前記気体流路本体を介して前記吹出口から吹き出す気体流路と、前記気体流路本体を流れる空気と熱交換する水が流れる液体流路と、前記液体流路を流れる水の温度を調整する水温調整手段と、前記吸気口近辺および／または前記吹出口近辺の空気の温度を取得する温度取得手段と、取得された前記温度に基づいて、前記吹出口から吹き出される空気の温度が目標範囲内となるよう、前記水温調整手段を制御する制御手段と、を備える空調システムが提供される。【選択図】図１
2019143947.tif 000002
【特許請求の範囲】
【請求項１】
地上に設けられる吸気口および吹出口と、地中に埋められる気体流路本体と、を有する気体流路であって、前記吸気口から吸い込んだ空気を前記気体流路本体を介して前記吹出口から吹き出す気体流路と、
前記気体流路本体を流れる空気と熱交換する水が流れる液体流路と、
前記液体流路を流れる水の温度を調整する水温調整手段と、
前記吸気口近辺および／または前記吹出口近辺の空気の温度を取得する温度取得手段と、
取得された前記温度に基づいて、前記吹出口から吹き出される空気の温度が目標範囲内となるよう、前記水温調整手段を制御する制御手段と、を備える空調システム。
【請求項２】
前記液体流路の入口に水を供給し、前記液体流路の出口からの水を回収するタンクを備え、
前記水温調整手段は、前記タンクの水の温度を調整する、請求項１に記載の空調システム。
【請求項３】
前記液体流路を流れる水の温度を取得する水温取得手段を備え、
前記制御手段は、取得された前記液体流路を流れる水の温度も考慮して、前記水温調整手段を制御する、請求項１または２に記載の空調システム。
【請求項４】
前記気体流路の外部において、前記吹出口から吹き出された空気が前記吸気口から吸いこまれる、請求項１乃至３のいずれかに記載の空調システム。
【請求項５】
前記吹出口から吹き出された空気が建屋内に供給され、この建屋内の空気が前記吸気口から吸い込まれ、
前記建屋内の空気および／または前記気体流路を流れる空気の湿度を取得する湿度取得手段と、
前記建屋内の湿度を調整する湿度調整手段と、を備え、
前記制御手段は、取得された前記湿度に基づいて、前記建屋内の湿度が目標範囲内となるよう、前記湿度調整手段を制御する、請求項４に記載の空調システム。
【請求項６】
前記吹出口から吹き出された空気が建屋内に供給され、この建屋内の空気が前記吸気口から吸いこまれ、
前記建屋内の空気および／または前記気体流路を流れる空気に含まれる二酸化炭素濃度を取得する二酸化炭素濃度取得手段と、
前記建屋内の二酸化炭素濃度を調整する二酸化炭素濃度調整手段と、を備え、
前記制御手段は、取得された前記二酸化炭素濃度に基づいて、前記建屋内の二酸化炭素濃度が目標範囲内となるよう、前記二酸化炭素濃度調整手段を制御する、請求項４または５に記載の空調システム。
【請求項７】
地上に設けられた吸気口から空気を吸い込むことと、
地中に埋められた気体流路本体を介して、前記吸い込んだ空気を地上に設けられた吹出口から空気を吹き出すことと、
前記気体流路本体を流れる空気と熱交換するよう液体流路に水を流すことと、
前記吸気口近辺および／または前記吹出口近辺の空気の温度を取得することと、
取得された前記温度に基づいて、前記吹出口から吹き出される空気の温度が目標範囲内となるよう、前記液体流路を流れる水の温度を調整することと、を備える空調方法。
【請求項８】
地上に設けられる吸気口および吹出口と、地中に埋められる気体流路本体と、を有する気体流路であって、前記吸気口から吸い込んだ空気を前記気体流路本体を介して前記吹出口から吹き出す気体流路と、
前記気体流路本体を流れる空気と熱交換する水が流れる液体流路と、を備える空調装置を制御する空調制御装置であって、
前記液体流路を流れる水の温度を調整する水温調整手段と、
前記吸気口近辺および／または前記吹出口近辺の空気の温度を取得する温度取得手段と、
取得された前記温度に基づいて、前記吹出口から吹き出される空気の温度が目標範囲内となるよう、前記水温調整手段を制御する制御手段と、を備える空調制御装置。
【請求項９】
地上に設けられる吸気口および吹出口と、地中に埋められる気体流路本体と、を有する気体流路であって、前記吸気口から吸い込んだ空気を前記気体流路本体を介して前記吹出口から吹き出す気体流路と、
前記気体流路本体を流れる空気と熱交換する水が流れる液体流路と、を備える空調装置を制御する空調制御方法であって、
前記吸気口近辺および／または前記吹出口近辺の空気の温度を取得することと、
取得された前記温度に基づいて、前記吹出口から吹き出される空気の温度が目標範囲内となるよう、前記液体流路を流れる水の温度を調整することと、を備える空調制御方法。
【請求項１０】
特定の食物を保管するための建屋と、
吸気口および吹出口と、地中に埋められた気体流路本体と、を有する気体流路であって、前記吸気口から吸い込んだ前記建屋内の空気を前記気体流路本体を介して前記吹出口から前記建屋内に吹き出す気体流路と、
前記気体流路本体を流れる空気と熱交換する水が流れる液体流路と、
前記液体流路を流れる水の温度を調整する水温調整手段と、
前記吸気口近辺および／または前記吹出口近辺の空気の温度を取得する温度取得手段と、
取得された前記温度に基づいて、前記吹出口から吹き出される空気の温度が前記特定の食物の保管に適した目標範囲内となるよう、前記水温調整手段を制御する制御手段と、を備える食物保管システム。
【請求項１１】
特定の食物を保管するための建屋内の空気を吸気口から吸い込むことと、
地中に埋められた気体流路本体を介して、前記吸い込んだ空気を吹出口から前記建屋内に吹き出すことと、
前記気体流路本体を流れる空気と熱交換するよう液体流路に水を流すことと、
前記吸気口近辺および／または前記吹出口近辺の空気の温度を取得することと、
取得された前記温度に基づいて、前記吹出口から吹き出される空気の温度が前記特定の食物の保管に適した目標範囲内となるよう、前記液体流路を流れる水の温度を調整することと、を備える食物保管システム。
【発明の詳細な説明】
【技術分野】
【０００１】
本発明は、地中に埋められた流路に空気を流し、当該空気と水との間で熱交換することによって空気の温度を調整する空調システムおよび空調方法に関する。また、本発明は、そのような空調システムおよび空調方法をそれぞれ利用した食物保管システムおよび食物保管方法に関する。さらに、本発明は、そのような空調システムを制御する空調制御装置および空調制御方法に関する。
【背景技術】
【０００２】
特許文献１には、地中に埋設された管部材を利用した空調装置が開示されている。この空調装置によれば、管部材に空気を流し、この空気と地下水との間で熱交換することにより、空気の温度を安定させることができる。
【先行技術文献】
【特許文献】
【０００３】
【特許文献１】特許第５８３６４５２号
【発明の概要】
【発明が解決しようとする課題】
【０００４】
しかしながら、上記の空調装置は空気の温度を安定させることができるが、空気の温度は地下水に依存する。そのため、空気の温度を所望の温度に調整するのは難しく、汎用性が低いという問題がある。
【０００５】
本発明はこのような問題点に鑑みてなされたものであり、本発明の課題は、汎用性が高い空調システムおよび空調方法、ならびに、そのような空調システムを利用した食物保管システム、そのような空調方法を利用した食物保管方法を提供すること、また、より汎用性が高くなるよう空調システムを制御する空調制御装置および空調制御方法を提供することである。
【課題を解決するための手段】
【０００６】
本発明の一態様によれば、地上に設けられる吸気口および吹出口と、地中に埋められる気体流路本体と、を有する気体流路であって、前記吸気口から吸い込んだ空気を前記気体流路本体を介して前記吹出口から吹き出す気体流路と、前記気体流路本体を流れる空気と熱交換する水が流れる液体流路と、前記液体流路を流れる水の温度を調整する水温調整手段と、前記吸気口近辺および／または前記吹出口近辺の空気の温度を取得する温度取得手段と、取得された前記温度に基づいて、前記吹出口から吹き出される空気の温度が目標範囲内となるよう、前記水温調整手段を制御する制御手段と、を備える空調システムが提供される。
【０００７】
前記液体流路の入口に水を供給し、前記液体流路の出口からの水を回収するタンクを備え、前記水温調整手段は、前記タンクの水の温度を調整してもよい。
【０００８】
前記液体流路を流れる水の温度を取得する水温取得手段を備え、前記制御手段は、取得された前記液体流路を流れる水の温度も考慮して、前記水温調整手段を制御してもよい。
【０００９】
前記気体流路の外部において、前記吹出口から吹き出された空気が前記吸気口から吸いこまれてもよい。
【００１０】
前記吹出口から吹き出された空気が建屋内に供給され、この建屋内の空気が前記吸気口から吸い込まれ、前記建屋内の空気および／または前記気体流路を流れる空気の湿度を取得する湿度取得手段と、前記建屋内の湿度を調整する湿度調整手段と、を備え、前記制御手段は、取得された前記湿度に基づいて、前記建屋内の湿度が目標範囲内となるよう、前記湿度調整手段を制御してもよい。
【００１１】
前記吹出口から吹き出された空気が建屋内に供給され、この建屋内の空気が前記吸気口から吸いこまれ、前記建屋内の空気および／または前記気体流路を流れる空気に含まれる二酸化炭素濃度を取得する二酸化炭素濃度取得手段と、前記建屋内の二酸化炭素濃度を調整する二酸化炭素濃度調整手段と、を備え、前記制御手段は、取得された前記二酸化炭素濃度に基づいて、前記建屋内の二酸化炭素濃度が目標範囲内となるよう、前記二酸化炭素濃度調整手段を制御してもよい。
【００１２】
また、本発明の別の態様によれば、地上に設けられた吸気口から空気を吸い込むことと、地中に埋められた気体流路本体を介して、前記吸い込んだ空気を地上に設けられた吹出口から空気を吹き出すことと、前記気体流路本体を流れる空気と熱交換するよう液体流路に水を流すことと、前記吸気口近辺および／または前記吹出口近辺の空気の温度を取得することと、取得された前記温度に基づいて、前記吹出口から吹き出される空気の温度が目標範囲内となるよう、前記液体流路を流れる水の温度を調整することと、を備える空調方法が提供される。
【００１３】
また、本発明の別の態様によれば、地上に設けられる吸気口および吹出口と、地中に埋められる気体流路本体と、を有する気体流路であって、前記吸気口から吸い込んだ空気を前記気体流路本体を介して前記吹出口から吹き出す気体流路と、前記気体流路本体を流れる空気と熱交換する水が流れる液体流路と、を備える空調装置を制御する空調制御装置であって、前記液体流路を流れる水の温度を調整する水温調整手段と、前記吸気口近辺および／または前記吹出口近辺の空気の温度を取得する温度取得手段と、取得された前記温度に基づいて、前記吹出口から吹き出される空気の温度が目標範囲内となるよう、前記水温調整手段を制御する制御手段と、を備える空調制御装置が提供される。
【００１４】
また、本発明の別の態様によれば、地上に設けられる吸気口および吹出口と、地中に埋められる気体流路本体と、を有する気体流路であって、前記吸気口から吸い込んだ空気を前記気体流路本体を介して前記吹出口から吹き出す気体流路と、前記気体流路本体を流れる空気と熱交換する水が流れる液体流路と、を備える空調装置を制御する空調制御方法であって、前記吸気口近辺および／または前記吹出口近辺の空気の温度を取得することと、取得された前記温度に基づいて、前記吹出口から吹き出される空気の温度が目標範囲内となるよう、前記液体流路を流れる水の温度を調整することと、を備える空調制御方法が提供される。
【００１５】
また、本発明の別の態様によれば、特定の食物を保管するための建屋と、吸気口および吹出口と、地中に埋められた気体流路本体と、を有する気体流路であって、前記吸気口から吸い込んだ前記建屋内の空気を前記気体流路本体を介して前記吹出口から前記建屋内に吹き出す気体流路と、前記気体流路本体を流れる空気と熱交換する水が流れる液体流路と、前記液体流路を流れる水の温度を調整する水温調整手段と、前記吸気口近辺および／または前記吹出口近辺の空気の温度を取得する温度取得手段と、取得された前記温度に基づいて、前記吹出口から吹き出される空気の温度が前記特定の食物の保管に適した目標範囲内となるよう、前記水温調整手段を制御する制御手段と、を備える食物保管システムが提供される。
【００１６】
また、本発明の別の態様によれば、特定の食物を保管するための建屋内の空気を吸気口から吸い込むことと、地中に埋められた気体流路本体を介して、前記吸い込んだ空気を吹出口から前記建屋内に吹き出すことと、前記気体流路本体を流れる空気と熱交換するよう液体流路に水を流すことと、前記吸気口近辺および／または前記吹出口近辺の空気の温度を取得することと、取得された前記温度に基づいて、前記吹出口から吹き出される空気の温度が前記特定の食物の保管に適した目標範囲内となるよう、前記液体流路を流れる水の温度を調整することと、を備える食物保管システムが提供される。
【発明の効果】
【００１７】
吹き出される空気の温度を調整できるため、空調の汎用性が向上する。
【図面の簡単な説明】
【００１８】
【図１】第１の実施形態に係る食物保管システムの概略構成を示す模式図。
【図２】吸気口１１から吸い込まれる空気の温度Ｔｉｎと、液体流路２を流れる水の温度Ｗ０との関係を模式的に示す図。
【図３】第２の実施形態に係る食物保管システムの概略構成を示す模式図。
【図４】第３の実施形態に係る食物保管システムの概略構成を示す模式図。
【発明を実施するための形態】
【００１９】
以下、本発明に係る実施形態について、図面を参照しながら具体的に説明する。
【００２０】
（第１の実施形態）
図１は、第１の実施形態に係る食物保管システムの概略構成を示す模式図である。食物保管システムは、建屋１００と、空調システム２００とを含む。
【００２１】
建屋１００は特定の食物（例えば、イモ）を保管するものである。食物には保管に適した温度範囲があり、例えばイモの場合、１５度付近、すなわち１３〜１６度に室温を保つことで、長期間新鮮な状態で保管することができる。
【００２２】
空調システム２００は、地中熱を利用して建屋１００内の温度が上記温度範囲になるように調整するためのものであり、気体流路１と、液体流路２と、保温タンク３と、チラー４と、温度計５１，５２と、水温計６と、制御装置７とを備えている。
【００２３】
気体流路１は、地上（より具体的には、建屋１００内）に設けられた吸気口１１および吹出口１２と、地中に埋められた気体流路本体１３とを有する。そして、吸気口１１から吸い込んだ建屋１００内の空気を気体流路本体１３を介して吹出口１２から吹き出す。より具体的には、以下のとおりである。
【００２４】
気体流路本体１３は、１または複数の管部材１３ａで構成され、水平方向に延びている。気体流路本体１３の一方端（図２では右端）側は、ベンド部１４ａを具備した立ち上がり管１４を介して、吸気ダクト１６に連結されている。そして、吸気ダクト１６に吸気口１１が設けられている。気体流路本体１３の他方端（図２中では左端）側は、ベンド部１５ａを具備した立ち上がり管１５を介して送風機（不図示）付きの吹出ダクト１７に連結されている。そして吹出ダクト１７に吹出口１２が設けられている。
【００２５】
液体流路２は気体流路本体１３に流れる空気と熱交換する水が流れる。液体流路２の構造や配置に特に制限はないが、例えば、気体流路本体１３を構成する管部材１３ａの管壁部１３ｂの内部に設けられ、管部材１３ａ内部における空気の流れと同方向または逆方向に水が流れるような構成であってよい。このような管部材１３ａとして、汎用品のコルゲート管を適用することができる。そして、液体流路２を流れる水として、年間を通して温度変化が少ない地下水を用いることができる。
【００２６】
このような気体流路１および液体流路２を含む空調システム２００は、次のように動作する。吸気口１１から取り込まれた空気は、地中に埋設された気体流路本体１３を一方側から他方側へと一方向に流れる。
【００２７】
空気は、気体流路本体１３を流れる間、地中との間で熱交換される。例えば、夏場には、外気温度が地中温度よりも相対的に高くなるので、気体流路本体１３を流れる空気は地中熱によって冷却される一方、冬場には、外気温度が地中温度よりも相対的に低くなるので、気体流路本体１３を流れる空気は地中熱によって加温される。このように、地中が天然の断熱材あるいは蓄熱材となり、低コストな空調システム２００が実現される。
【００２８】
また、空気は、気体流路本体１３を流れる間、液体流路２を流れる水との間でも熱交換される。これにより、気体流路本体１３を浅い深さ（例えば、５ｍ未満）で埋設した場合であっても、それに伴って生じ得る地中熱の夏場の冷却能力の低下分および冬場の加温能力の低下分を、液体流路２内の水との熱交換によって効果的に補うことができる。
【００２９】
このように、気体流路１内で空気が地中および水と熱交換されることにより、吹出口１２からは安定した温度の空気が建屋１００に供給される。また、地中のみならず水とも熱交換を行うため、気体流路本体１３をそれほど深く埋設する必要がなく、空調システム２００の設置費用を抑えられる。
【００３０】
ここで、吹出口１２から吹き出される空気の温度（建屋１００に供給される空気の温度）Ｔｏｕｔは、吸気口１１から吸い込まれる空気の温度Ｔｉｎと、液体流路２を流れる水の温度Ｗ０とでおおよそ定まる。
【００３１】
図２は、吸気口１１から吸い込まれる空気の温度Ｔｉｎと、液体流路２を流れる水の温度Ｗ０との関係を模式的に示す図である。例えば、吸気口１１から吸い込まれる空気の温度ＴｉｎがＴ１である場合、液体流路２を流れる水の温度Ｗ０がＷ０１であれば吹出口１２から吹き出される空気の温度ＴｏｕｔはＴ１１になるし、水の温度Ｗ０がＷ０２であれば温度ＴｏｕｔはＴ１２になるし、水の温度Ｗ０がＷ０３であれば温度ＴｏｕｔはＴ１３になる。
【００３２】
液体流路２を流れる水として地下水を用いた場合、確かに建屋１００に供給される空気の温度Ｔｏｕｔを安定させることができる。しかしながら、地下水の温度はその土地によっておおよそ決まっているため、建屋１００に供給される空気の温度が目標範囲内とならないこともある。そこで、吸気口１１から吸い込まれる空気の温度Ｔｉｎに応じて液体流路２を流れる水の温度Ｗ０を切り替えることも考えられる（例えば、冬は温水を流し、夏は冷水を流す）が、それでも水の温度Ｗ０を手動で切り替えるのでは、建屋１００に供給される空気の温度が目標範囲にするのは容易ではない。
【００３３】
したがって、本実施形態の空調システム２００には、以下のような保温タンク３、チラー４、温度計５１，５２、水温計６、制御装置７を設け、自動で液体流路２に流れる水の温度Ｗ０を調整する。
【００３４】
保温タンク３には、液体流路２から排出された水が回収される。また、保温タンク３からの水が液体流路２に供給される。すなわち、液体流路２の水は空調システム２００を内部循環している。保温タンク３内では水の温度は安定している。
【００３５】
チラー４は、ヒートポンプチラーなど任意の水温調整手段であり、液体流路２に流れる水の温度、より具体的には保温タンク３内の水の温度を制御装置７からの制御に応じて調整する。
【００３６】
温度計５１，５２および水温計６は温度取得手段であり、各位置での空気および水の温度をそれぞれ取得し、その結果を制御装置７に通知する。すなわち、温度計５１は吸気口１１近辺の空気の温度（すなわち、吸気口１１から吸い込まれる空気の温度Ｔｉｎ）を取得する。温度計５２は吹出口１２近辺の空気の温度（すなわち、吹出口１２から吹き出される空気の温度Ｔｏｕｔ）を取得する。水温計６は液体流路２を流れる水の温度として、例えば液体流路２の入口あるいは出口、液体流路２内、保温タンク３の入口あるいは出口、保温タンク３内のいずれかの水の温度を取得する。
【００３７】
制御装置７は、温度計５１，５２および水温計６で取得された温度（の少なくとも一部）に基づいて、吹出口１２から吹き出される空気の温度Ｔｏｕｔが上記食物の保管に適した温度範囲となるよう、チラー４を制御する。制御装置７は、例えばコンピュータであり、プロセッサが所定の制御プログラムを実行することによって本機能が実現されてもよい。
【００３８】
具体例として、制御装置７は図２に示す関係を記憶しておき、吸気口１１から吸い込まれる空気の温度Ｔｉｎである場合に、目標とする温度範囲の中央値Ｔｔとなる、液体流路２を流れる水の温度Ｗ０を把握する。そして、制御装置７は保温タンク３内の水の温度がＷ０となるようチラー４を制御する。
【００３９】
例えば、図２によれば、吸気口１１から吸い込まれる空気の温度ＴｉｎがＴ２である場合に、吹出口１２から吹き出される空気の温度ＴｏｕｔをＴｔとするための水温はＷ０２である。そこで、制御装置７は本タンク内の水の温度がＷ０２となるようチラー４を制御する。
【００４０】
より単純には、制御装置７は、吹出口１２から吹き出される空気の温度Ｔｏｕｔが目標とする温度範囲より低い場合には、液体流路２を流れる水の温度Ｗ０が高くなるようチラー４を制御し、吹出口１２から吹き出される空気の温度Ｔｏｕｔが目標とする温度範囲より高い場合には、液体流路２を流れる水の温度Ｗ０が低くなるようチラー４を制御してもよい。
【００４１】
制御装置７は、チラー４を制御する際、液体流路２を流れる水の温度も考慮することで、より細かく正確にチラー４を制御してもよい。
【００４２】
このように、第１の実施形態では、液体流路２を流れる水の温度を調整する。そのため、吹出口１２から吹き出される空気の温度が所望の目標温度範囲となるよう調整できる。これにより、空調システム２００の汎用性が向上し、例えば食物を保管するための建屋１００内の温度を、その食物の保管に適した温度範囲に保つことができる。
【００４３】
なお、本実施形態では食物保管システムを例に取って、空調システム２００が食物を保管する建屋１００の空気の温度を調整する例を示した。しかしながら、空調システム２００の用途や対象に制限はなく、例えば建屋１００がオフィスであってこのオフィスの空気の温度を調整するものであってもよい。また、本実施形態では、建屋１００内の空気を吸気口１１から吸い込む例を示したが、外部から取り込むようにしてもよい。また、気体流路１および液体流路２から構成される既存の（例えば、上記特許文献１に記載の）空調装置に対して、保温タンク３、チラー４、温度計５１，５２、水温計６および制御装置７（の少なくとも一部）から構成される空調制御装置を追加して空調システム２００を構築してもよい。
【００４４】
（第２の実施形態）
次に説明する第２の実施形態は、建屋１００に供給される空気の温度のみならず湿度も調整するものである。以下、第１の実施形態との相違点を中心に説明する。
【００４５】
図３は、第２の実施形態に係る食物保管システムの概略構成を示す模式図である。図１と比較して、空調システム２００は、さらに加湿機８１ａと、除湿機８１ｂと、湿度計８２とを備えている。
【００４６】
湿度計８２は建屋１００内の空気あるいは気体流路１を流れる空気の湿度を取得する。加湿機８１ａは、例えば建屋１００内に配置された噴霧ノズルからミストを供給することで、建屋１００内を加湿する。除湿機８１ｂは建屋１００内を除湿する。加湿機８１ａおよび除湿機８１ｂは建屋１００内の湿度を調整するものであり、総称して湿度調整手段と呼ぶこともできる。なお、図３では、便宜上、吹出ダクト１７に加湿機８１ａを設け、吸気ダクト１６に除湿機８１ｂを設けているが、加湿機８１ａおよび除湿機８１ｂの設置位置に特に制限はない。
【００４７】
そして、本実施形態の制御装置７は、取得された湿度に基づいて、建屋１００内の湿度が目標とする湿度範囲となるよう加湿機８１ａおよび／または除湿機８１ｂを制御する。例えば、建屋１００がイモを保管する場合、イモの保管に適した湿度である９０〜９５％が目標範囲となる。
【００４８】
具体的には、制御装置７は、取得された湿度が目標とする湿度範囲より低い場合には、湿度が高くなるよう加湿機８１ａを制御して建屋１００内を加湿し、取得された湿度が目標とする湿度範囲より高い場合には、湿度が低くなるよう除湿機８１ｂを制御して建屋１００内を除湿する。
【００４９】
このように、第２の実施形態では、建屋１００内の湿度を取得し、湿度が目標範囲となるよう加湿機８１ａや除湿機８１ｂを制御する。これにより、空調システム２０１の汎用性がさらに向上し、例えば食物を保管するための建屋１００内の湿度を、その食物の保管に適した湿度範囲に保つことができる。なお、建屋１００内に供給される空気の温度の調整を省略し、湿度のみを調整してもよい。
【００５０】
（第３の実施形態）
次に説明する第３の実施形態は、建屋１００に供給される空気の温度のみならず二酸化炭素濃度も調整するものである。以下、第１の実施形態との相違点を中心に説明する。
【００５１】
図４は、第３の実施形態に係る食物保管システムの概略構成を示す模式図である。図１と比較して、空調システム２０２は、さらに排気装置９１ａと、給気装置９１ｂと、二酸化炭素濃度計９２とを備えている。
【００５２】
二酸化炭素濃度計９２は建屋１００内の空気あるいは気体流路１を流れる空気に含まれる二酸化炭素濃度を取得する。排気装置９１ａは建屋１００内の空気の一部を外部に排気する。具体例として、排気装置９１ａは吹出ダクト１７に設置され、気体流路本体１３からの空気の一部を外部に排気することで、建屋１００内に供給されないようにする。給気装置９１ｂは建屋１００の外部から建屋１００内に空気を取り込む。具体例として、給気装置９１ｂは吸気ダクト１６に設置され、建屋１００の外部の空気を気体流路１内に取り込む。排気装置９１ａおよび給気装置９１ｂは建屋１００内の二酸化炭素濃度を調整するものであり、総称して二酸化濃度調整手段と呼ぶこともできる。
【００５３】
そして、本実施形態の制御装置７は、取得された二酸化炭素濃度に基づいて、建屋１００内の二酸化炭素濃度が目標とする二酸化炭素濃度範囲となるよう排気装置９１ａおよび／または給気装置９１ｂを制御する。
【００５４】
このように、第３の実施形態では、建屋１００内の二酸化炭素濃度を取得し、二酸化炭素濃度が目標範囲となるよう排気装置９１ａや給気装置９１ｂを制御する。これにより、空調システム２０２の汎用性がさらに向上する。なお、建屋１００内に供給される空気の温度の調整を省略し、二酸化炭素濃度のみを調整してもよい。また、第２の実施形態と組み合わせ、二酸化炭素濃度に加え、湿度および／または建屋１００内に供給される空気の温度をさらに調整してもよい。
【００５５】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうることである。したがって、本発明は、記載された実施形態に限定されることはなく、特許請求の範囲によって定義される技術的思想に従った最も広い範囲とすべきである。
【符号の説明】
【００５６】
１００  建屋
２００〜２０２  空調システム
１  気体流路
１１  吸気口
１２  吹出口
１３  気体流路本体
１３ａ  管部材
１３ｂ  管壁部
１４，１５  立ち上がり管
１４ａ，１５ａ  ベンド部
１６  吸気ダクト
１７  吹出ダクト
２  液体流路
３  保温タンク
４  チラー
５１，５２  温度計
６  水温計
７  制御装置
８１ａ  加湿機
８１ｂ  除湿機
８２  湿度計
９１ａ  排気装置
９１ｂ  給気装置
９２  二酸化炭素濃度計
【図１】
2019143947.tif 000003
【図２】
2019143947.tif 000004
【図３】
2019143947.tif 000005
【図４】
2019143947.tif 000006